(57)【要約】【課題】観察距離等の観察条件を変えることなく、パララックス素子の配置を変更することを可能にする。【解決手段】複数の画素を有し、隣り合う前記画素の間にはブラックマトリクスが形成され、ｎ視点（ｎは２以上の整数）分の複数の視点画像を前記複数の画素に割り当てて表示する表示部と、複数の分離部を有し、前記表示部に表示された前記複数の視点画像をそれぞれ異なる方向に分離するパララックス素子とを備える。隣接するｎ視点分の前記画素に対して２以上の前記分離部が隣接して配置され、特定の視点位置から観察したときに、隣接する前記２以上の分離部のうちの特定の１つの分離部によって特定の１つの視点画像が観察され、前記特定の分離部以外の他の分離部によって前記ブラックマトリクスが観察される構成とする。【選択図】図１
2014032366.tif 000002
【特許請求の範囲】
【請求項１】
複数の画素を有し、隣り合う前記画素の間にはブラックマトリクスが形成され、ｎ視点（ｎは２以上の整数）分の複数の視点画像を前記複数の画素に割り当てて表示する表示部と、
複数の分離部を有し、前記表示部に表示された前記複数の視点画像をそれぞれ異なる方向に分離するパララックス素子と
を備え、
隣接するｎ視点分の前記画素に対して２以上の前記分離部が隣接して配置され、
特定の視点位置から観察したときに、隣接する前記２以上の分離部のうちの特定の１つの分離部によって特定の１つの視点画像が観察され、前記特定の分離部以外の他の分離部によって前記ブラックマトリクスが観察される
表示装置。
【請求項２】
前記パララックス素子は、前記表示部に対して観察側に対向配置されると共に、前記表示部に対して、以下の式で表される距離ｄよりも近い位置または遠い位置に配置されている
請求項１に記載の表示装置。
ｄ＝Ｚ・Ｐ／（Ｅ＋Ｐ）
ただし、
Ｚ：観察距離
Ｅ：眼間距離
Ｐ：画素ピッチ
ｄ：前記表示部と前記パララックス素子との距離
とする。
【請求項３】
前記パララックス素子は、前記表示部に対して観察側に対向配置されると共に、隣接する前記複数の分離部の配置間隔が、以下の式で表される配置間隔Ｌよりも小さい値となっている
請求項１に記載の表示装置。
Ｌ＝ｎＰ・Ｅ／（Ｅ＋Ｐ）
ただし、
ｎ：視点数
Ｅ：眼間距離
Ｐ：画素ピッチ
Ｌ：分離部の配置間隔
とする。
【請求項４】
前記パララックス素子は、前記表示部に対して観察側とは反対側に対向配置されると共に、前記表示部に対して、以下の式で表される距離ｄよりも近い位置または遠い位置に配置されている
請求項１に記載の表示装置。
ｄ＝Ｚ・Ｐ／（Ｅ−Ｐ）
ただし、
Ｚ：観察距離
Ｅ：眼間距離
Ｐ：画素ピッチ
ｄ：前記表示部と前記パララックス素子との距離
とする。
【請求項５】
前記パララックス素子は、前記表示部に対して観察側とは反対側に対向配置されると共に、隣接する前記複数の分離部の配置間隔が、以下の式で表される配置間隔Ｌよりも小さい値となっている
請求項１に記載の表示装置。
Ｌ＝ｎＰ・Ｅ／（Ｅ−Ｐ）
ただし、
ｎ：視点数
Ｅ：眼間距離
Ｐ：画素ピッチ
Ｌ：分離部の配置間隔
とする。
【請求項６】
前記パララックス素子は、前記分離部としての分割レンズを複数有するレンチキュラレンズである
請求項１に記載の表示装置。
【請求項７】
前記パララックス素子は、前記分離部としての開口部を複数有するパララックスバリアである
請求項１に記載の表示装置。
【請求項８】
表示装置を含み、
前記表示装置は、
複数の画素を有し、隣り合う前記画素の間にはブラックマトリクスが形成され、ｎ視点（ｎは２以上の整数）分の複数の視点画像を前記複数の画素に割り当てて表示する表示部と、
複数の分離部を有し、前記表示部に表示された前記複数の視点画像をそれぞれ異なる方向に分離するパララックス素子と
を備え、
隣接するｎ視点分の前記画素に対して２以上の前記分離部が隣接して配置され、
特定の視点位置から観察したときに、隣接する前記２以上の分離部のうちの特定の１つの分離部によって特定の１つの視点画像が観察され、前記特定の分離部以外の他の分離部によって前記ブラックマトリクスが観察される
電子機器。
【発明の詳細な説明】
【技術分野】
【０００１】
本開示は、パララックス素子を用いて裸眼方式による立体表示を行う表示装置、およびそのような表示装置を備えた電子機器に関する。
【背景技術】
【０００２】
立体表示を行う手法としては、立体視用の眼鏡を用いる眼鏡方式と、立体視用の特殊な眼鏡を用いることなく裸眼での立体視を可能にした裸眼方式とがある。裸眼方式の代表的なものとしては、パララックスバリア方式とレンチキュラレンズ方式とがある。パララックスバリア方式やレンチキュラ方式の場合、表示部（２次元表示パネル）に立体視用の複数の視点画像（２視点の場合には右眼用視点画像と左眼用視点画像）を空間分割して表示し、その視点画像をパララックス素子によって水平方向に分離することで立体視が行われる。パララックスバリア方式の場合、パララックス素子としてスリット状の開口部が設けられたパララックスバリアを用いる。レンチキュラ方式の場合、パララックス素子として、シリンドリカル状の分割レンズを複数並列配置したレンチキュラレンズが用いられる。
【先行技術文献】
【特許文献】
【０００３】
【特許文献１】特開２００５−９２１０３号公報
【発明の概要】
【発明が解決しようとする課題】
【０００４】
しかしながら、上記した裸眼方式では、パララックス素子の配置位置（表示部からの距離）が、観察距離等の設計条件によって特定の位置に固定されてしまう。例えば上記特許文献１では、観察距離に応じてパララックスバリアの面内方向におけるバリア幅とバリア位置とを可変させることが可能な表示装置が記載されているが、表示部からの距離は固定である。一方で、設計条件によって決まる位置とは異なる位置にパララックス素子を配置したい場合がある。例えば装置全体を薄型化したい場合には、設計条件によって決まる位置よりも表示部に近い位置にパララックス素子を配置することが必要となる。逆に、装置全体を厚くしたい場合には、設計条件によって決まる位置よりも表示部から遠い位置にパララックス素子を配置することが必要となる。例えばパララックス素子と表示部との距離を均一に保つために、それらの間にガラス等のスペーサを入れる場合があるが、その場合、パララックス素子と表示部とが離れるほど厚いスペーサが必要となり、装置全体が重くなるので、パララックス素子が表示部に近い位置に配置されていることが好ましい。また、表示部が高精細になるなどして製造上、逆に薄型化が困難な場合にはパララックス素子が遠い位置に配置されていることが好ましい。ただし、設計条件によって決まる位置よりもパララックス素子を近い（または遠い）位置に配置しようとすると、今度は観察距離が短くなる（または観察距離が長くなる）などの問題が生じる。
【０００５】
本開示の目的は、観察距離等の観察条件を変えることなく、パララックス素子の配置を変更することが可能となる表示装置および電子機器を提供することにある。
【課題を解決するための手段】
【０００６】
本開示による表示装置は、複数の画素を有し、隣り合う画素の間にはブラックマトリクスが形成され、ｎ視点（ｎは２以上の整数）分の複数の視点画像を複数の画素に割り当てて表示する表示部と、複数の分離部を有し、表示部に表示された複数の視点画像をそれぞれ異なる方向に分離するパララックス素子とを備えている。隣接するｎ視点分の画素に対して２以上の分離部が隣接して配置され、特定の視点位置から観察したときに、隣接する２以上の分離部のうちの特定の１つの分離部によって特定の１つの視点画像が観察され、特定の分離部以外の他の分離部によってブラックマトリクスが観察される構成とされている。
【０００７】
本開示による電子機器は、上記本開示による表示装置を備えたものである。
【０００８】
本開示による表示装置または電子機器では、特定の視点位置から観察したときに、隣接する２以上の分離部のうちの特定の１つの分離部によって特定の１つの視点画像が観察され、特定の分離部以外の他の分離部によってブラックマトリクスが観察される。
【発明の効果】
【０００９】
本開示の表示装置または電子機器によれば、隣接するｎ視点分の画素に対して２以上の分離部を隣接して配置し、特定の分離部以外の他の分離部によってブラックマトリクスを観察する状態となるようにしたので、観察距離等の観察条件を変えることなく、パララックス素子の配置を変更することが可能となる。
【図面の簡単な説明】
【００１０】
【図１】本開示の第１の実施の形態に係る表示装置の一構成例を示す断面図である。
【図２】比較例の設計手法による画素とパララックス素子（レンチキュラレンズ）と視点位置との関係を示す断面図である。
【図３】比較例の設計手法による画素とパララックス素子（パララックスバリア）と視点位置との関係を示す断面図である。
【図４】比較例の設計手法によるパララックス素子の構成例を示す断面図である。
【図５】第１の実施の形態に係る表示装置による画素とパララックス素子と視点位置との関係を示す断面図である。
【図６】図６の部分拡大図である。
【図７】図１における位置Ａ１にパララックス素子を配置する場合のパララックス素子の設計手法を示す説明図である。
【図８】図１における位置Ａ１にパララックス素子を配置する場合の画素の構成条件を示す説明図である。
【図９】図１における位置Ａ１にパララックス素子を配置する場合の画素の構成条件を示す説明図である。
【図１０】図１における位置Ａ２にパララックス素子を配置する場合のパララックス素子の設計手法を示す説明図である。
【図１１】図１における位置Ａにパララックス素子を配置する場合のパララックス素子の設計手法を示す説明図である。
【図１２】図１における位置Ａにパララックス素子を配置する場合のパララックス素子の設計手法を示す説明図である。
【図１３】図１における位置Ａにパララックス素子を配置する場合のパララックス素子の設計手法を示す説明図である。
【図１４】図１における位置Ａにパララックス素子を配置する場合のパララックス素子の設計手法を示す説明図である。
【図１５】図１における位置Ａにパララックス素子を配置する場合のパララックス素子の設計手法を示す説明図である。
【図１６】図１における位置Ｂにパララックス素子を配置する場合のパララックス素子の設計手法を示す説明図である。
【図１７】図１における位置Ｂにパララックス素子を配置する場合のパララックス素子の設計手法を示す説明図である。
【図１８】図１における位置Ｂにパララックス素子を配置する場合のパララックス素子の設計手法を示す説明図である。
【図１９】図１における位置Ｂにパララックス素子を配置する場合のパララックス素子の設計手法を示す説明図である。
【図２０】図１における位置Ｂにパララックス素子を配置する場合のパララックス素子の設計手法を示す説明図である。
【図２１】第２の実施の形態に係る表示装置の一構成例を示す断面図である。
【図２２】比較例の設計手法によるパララックス素子の構成例を示す断面図である。
【図２３】図２１における位置Ａにパララックス素子を配置する場合のパララックス素子の設計手法を示す説明図である。
【図２４】図２１における位置Ｂにパララックス素子を配置する場合のパララックス素子の設計手法を示す説明図である。
【図２５】電子機器の一例を示す外観図である。
【発明を実施するための形態】
【００１１】
以下、本開示の実施の形態について図面を参照して詳細に説明する。なお、説明は以下の順序で行う。
１．第１の実施の形態
パララックス素子をフロント配置した構成例。
２．第２の実施の形態
パララックス素子をリア配置した構成例。
３．その他の実施の形態
電子機器の構成例等
【００１２】
＜１．第１の実施の形態＞
［表示装置の全体構成］
図１は、本開示の一実施の形態に係る表示装置の一構成例を示している。この表示装置は、表示部１と、パララックス素子２とを備えている。この表示装置は、後述する設計手法により、観察距離Ｚ等の観察条件を変えることなく、パララックス素子２の配置を変更することが可能となる。すなわち、パララックス素子２の配置位置は種々の位置を取り得る。図１には、一般的な設計手法によるパララックス素子２の配置位置をＣ１で示している。また、後述する本実施の形態に係る設計手法によって取り得る配置位置の一例を、Ａ１、Ａ２、Ｂ１、Ｂ２、Ｂ３で示している。本実施の形態に係る設計手法によって、表示部１に対して位置Ｃ１よりも近い位置Ａまたは遠い位置Ｂにパララックス素子２を配置することが可能となっている。
【００１３】
表示部１の表示画面には、複数の画素１１が２次元的に配列されている。表示部１において、隣り合う画素１１の間にはブラックマトリクス１２が形成されている。表示部１の複数の画素１１には、第１〜第ｎ（ｎは２以上の整数）の番号付けがなされ、ｎ視点分の複数の視点画像がそれぞれ異なる画素に割り当てて表示される。なお、図１ではｎ＝４視点の場合を例にしている。
【００１４】
表示部１は、後述するように複数の画素１１のそれぞれの有効幅が十分に小さいことが好ましい。このため、個々の画素１１の有効幅を十分に小さくすることが可能な、例えばＬＥＤ（Light Emitting Diode）ディスプレイで構成することが好ましい。その他、有効幅を十分に小さくすることができるのであれば、液晶表示パネル、エレクトリックルミナンス方式の表示パネル、またはプラズマディスプレイ等の２次元表示ディスプレイで構成されていても良い。
【００１５】
この表示装置は、裸眼方式による立体表示を行うものであり、その立体表示方式は、パララックスバリア方式やレンチキュラレンズ方式等のパララックス素子２を用いた方式となっている。表示部１には、複数の視点用の視差画像（視点画像）が１画面内に合成された視差合成画像が表示される。すなわち、複数の視点画像が空間分割されて表示される。パララックス素子２は、複数の分離部を有し、表示部１に表示された複数の視点画像をそれぞれ異なる方向に分離する。
【００１６】
レンチキュラ方式の場合、例えば図２に示したように、パララックス素子２として、例えばシリンドリカル状の分割レンズ２３（分離部）を複数並列配置したレンチキュラレンズ２Ｂが用いられる。なお、図２では一般的な設計手法による配置位置Ｃ１にレンチキュラレンズ２Ｂを配置した場合の構成例を示している。
レンチキュラレンズ２Ｂは、表示部１に表示された複数の視点画像を空間的に分離して観察者側に出射するようになっている。これにより、表示部１に表示された複数の視点画像がそれぞれ異なる方向に分離され、観察者の左眼と右眼とにそれぞれ異なる視点画像が到達することで立体視が可能となる。レンチキュラレンズ２Ｂは、可変レンズであっても良い。例えば液晶レンズのように、電気的にレンズ効果のオン・オフ制御を行うことが可能なものであっても良い。この場合、全画面での２次元（２Ｄ）表示モードと、全画面での３次元（３Ｄ）表示モードとを任意に選択的に切り替えることが可能となる。
【００１７】
パララックスバリア方式の場合、例えば図３に示したように、パララックス素子２としてパララックスバリア２Ａが用いられる。なお、図３では一般的な設計手法による配置位置Ｃ１にパララックスバリア２Ａを配置した場合の構成例を示している。
パララックスバリア２Ａは、光を透過する開口部２１（分離部）と、光を遮蔽する遮蔽部２２とを備えている。パララックスバリア２Ａは、表示部１に表示された複数の視点画像を空間的に分離して観察者側に出射するようになっている。これにより、表示部１に表示された複数の視点画像がそれぞれ異なる方向に分離され、観察者の左眼と右眼とにそれぞれ異なる視点画像が到達することで立体視が可能となる。パララックスバリア２Ａは、固定式であっても良いし、可変式であっても良い。固定式の場合、例えば透明な平行平面板（基材）の表面に、薄膜状の金属などで開口部２１および遮蔽部２２となるパターンを形成したものを用いることができる。可変式の場合、例えばバックライト方式の液晶表示素子による表示機能（光変調機能）を用いて、開口部２１および遮蔽部２２のパターンを選択的に形成することができる。この場合、上述のレンチキュラレンズ２Ｂとして可変レンズを用いた場合と同様に、全画面での２次元（２Ｄ）表示モードと、全画面での３次元（３Ｄ）表示モードとを任意に選択的に切り替えることが可能となる。
【００１８】
以下、本実施の形態では、パララックス素子２として、レンチキュラレンズ２Ｂを用いる場合の設計手法を基本に説明するが、パララックスバリア２Ａを用いる場合にも同様の設計手法を適用することができる。
【００１９】
［比較例（一般的な設計手法）によるパララックス素子２の構成例］
比較例として、図４を参照して一般的な設計手法によるパララックス素子２（レンチキュラレンズ２Ｂ）の構成例を説明する。一般的な設計手法では、表示部１とパララックス素子２との距離ｄは、以下のように設計される。また、パララックス素子２の分離部の配置間隔（図４では隣接する２つの分割レンズ２３の配置間隔）Ｌは、以下のように設計される。なお、パララックス素子２がパララックスバリア２Ａの場合には、分離部の配置間隔Ｌは隣接する２つの開口部２１（図３参照）の配置間隔となる。
【００２０】
ｄ＝Ｚ・Ｐ／（Ｅ＋Ｐ）
Ｌ＝ｎＰ・Ｅ／（Ｅ＋Ｐ）
ただし、
ｎ：視点数
Ｚ：観察距離
Ｅ：眼間距離
Ｐ：画素ピッチ
とする。
【００２１】
この距離ｄと配置間隔Ｌとを設計値にする場合、隣接するｎ視点分の画素１１に対して１つの分離部が配置されることになる。例えば４視点の場合、図２の例のように、隣接する４視点分の画素１１に対して、１つの分割レンズ２３が配置される。１つの分割レンズ２３によって、隣接する４視点分の画素１１に表示された第１ないし第４の視点画像が、それぞれ別々の視点位置の方向に分離される。分割レンズ２３は複数配置されているが、全ての分割レンズ２３が同様にして、対応する４視点分の画素１１に表示された第１ないし第４の視点画像をそれぞれ別々の視点位置の方向に分離する。
【００２２】
［本実施の形態に係る設計手法によるパララックス素子２の構成例］
上記した一般的な設計手法に対して、本実施の形態に係る設計手法では、隣接するｎ視点分の画素１１に対して２以上の分離部を隣接して配置する。そして、特定の視点位置から観察したときに、隣接する２以上の分離部のうちの特定の１つの分離部によって特定の１つの視点画像が観察されるようにする。また、特定の分離部以外の他の分離部によって、隣接するｎ視点分の画素１１の近くに形成されたブラックマトリクス１２が観察されるようにする。
また、後述するように、パララックス素子２の分離部の配置間隔Ｓは、上記した一般的な設計手法における配置間隔Ｌよりも小さい値となるようにする。すなわち、上記した一般的な設計手法よりも細かいピッチで分離部を配置する。
【００２３】
（位置Ａ１に配置する場合）
まず、表示部１に対して、一般的な設計手法による位置Ｃ１よりも近いＡ１の位置（図１参照）にパララックス素子２（レンチキュラレンズ２Ｂ）を配置する場合を例に説明する。図５は、位置Ａ１にレンチキュラレンズ２Ｂを配置した場合において、特定の視点位置（第３の視点位置）から表示部１を観察した状態を示している。図５において破線で囲んだ領域１５０の部分を拡大して、図６に示す。
【００２４】
図５および図６の例では、隣接する４視点分の画素１１に対して、５つの分割レンズ２３が配置されている。そして、特定の視点位置である第３の視点位置から観察したときに、隣接する５つの分割レンズ２３のうちの特定の１つの分割レンズ２３によって特定の１つの視点画像（第３の視点画像）が観察される。また、特定の１つの分割レンズ２３以外の他の分割レンズ２３（図５の領域１６０のレンズ）によって、隣接する４視点分の画素１１の近くに形成されたブラックマトリクス１２が観察される。上述のように位置Ｃ１にパララックス素子２を配置した場合では、全ての分割レンズ２３から特定の視点画像が観察される状態となるが、図５および図６の例では、一部の分割レンズ２３からのみ、特定の視点画像が観察される状態となる。
【００２５】
図７を参照して、図５および図６の構成例を実現するための設計手法を説明する。表示部１とパララックス素子２との距離ｔは、以下のように設計される。また、パララックス素子２の分離部の配置間隔（隣接する２つの分割レンズ２３の配置間隔）Ｓは、以下のように設計される。なお、パララックス素子２がパララックスバリア２Ａの場合には、分離部の配置間隔Ｓは隣接する２つの開口部２１（図３参照）の配置間隔となる。また、パララックスバリア２Ａの場合には、１つの開口部２１の大きさは、後述する１つの画素１１の有効幅ａ以下の大きさにすることが好ましい。これにより、クロストークの発生を防止する。
【００２６】
ｔ＝Ｚ・Ｐ／｛Ｅ（ｎ＋１）＋Ｐ｝
Ｓ＝ｎＰ・Ｅ／｛Ｅ（ｎ＋１）＋Ｐ｝
ただし、
ｎ：視点数
Ｚ：観察距離
Ｅ：眼間距離
Ｐ：画素ピッチ
とする。
【００２７】
（画素１１の有効幅ａの条件）
ここで、図５および図６の例のような観察状態を実現するためには、特定の分割レンズ２３以外の他の分割レンズ２３（図５の領域１６０のレンズ）によってブラックマトリクス１２が観察される状態にする必要がある。このためには、上記した距離ｔおよび配置間隔Ｓの条件に加えて、以下の条件を満足するように画素１１の有効幅ａを十分に小さくする必要がある。この条件を満足することにより、所望の視点画像とは異なる画像が観察されてしまうような、いわゆるクロストークの発生を防止することができる。分割レンズ２３が理想的な集光作用を有するものであると仮定すれば、観察位置においてクロストークが発生しないために画素１１の有効幅ａとして許容される最大値は、以下のようになる（図８、図９参照）。
【００２８】
図８、図９に示したように、
Ｐ−ｕ1＞ａ／２，ｕ2−Ｐ＞ａ／２，…
の条件を満たさなければならないので、許容される有効幅ａの値は以下の条件を満たす。
ａ＜２・Ｐ｛１−ｍ／（ｎ＋１）｝、かつ、ａ＜２・Ｐ｛ｍ／（ｎ＋１）｝
ｍ＝１，２，…，ｎ
【００２９】
（位置Ａ２に配置する場合）
上記した位置Ａ１の設計手法と同様にして、位置Ａ２（図１参照）にパララックス素子２（レンチキュラレンズ２Ｂ）を配置する場合、表示部１とパララックス素子２との距離ｔは、以下のように設計される。また、パララックス素子２の分離部の配置間隔（隣接する２つの分割レンズ２３の配置間隔）Ｓは、以下のように設計される（図１０参照）。
【００３０】
ｔ＝Ｚ・Ｐ（ｎ−１）／｛Ｅ（２ｎ−１）＋Ｐ（ｎ−１）｝
Ｓ＝ｎＰ・Ｅ／｛Ｅ（２ｎ−１）＋Ｐ（ｎ−１）｝
【００３１】
（位置Ｂ１に配置する場合）
また、一般的な設計手法による位置Ｃ１よりも遠いＢ１の位置（図１参照）にパララックス素子２（レンチキュラレンズ２Ｂ）を配置する場合には、表示部１とパララックス素子２との距離ｔは、以下のように設計される。また、パララックス素子２の分離部の配置間隔（隣接する２つの分割レンズ２３の配置間隔）Ｓは、以下のように設計される。
【００３２】
ｔ＝Ｚ・Ｐ（２ｎ＋１）／｛Ｅ（ｎ＋１）＋Ｐ（２ｎ＋１）｝
Ｓ＝ｎＰ・Ｅ／｛Ｅ（ｎ＋１）＋Ｐ（２ｎ＋１）｝
【００３３】
（位置Ａ（ｔ＜ｄ）に配置する場合の統一式）
図１１〜図１５を参照して、表示部１に対して位置Ｃ１よりも近い位置Ａにパララックス素子２を配置する場合の設計手法の統一式を説明する。位置Ａ（ｔ＜ｄ）に配置する場合、表示部１とパララックス素子２との距離ｔは、以下の統一式で設計が可能である。また、パララックス素子２の分離部の配置間隔（隣接する２つの分割レンズ２３の配置間隔）Ｓは、以下の統一式で設計が可能である。なお、図１１は、ｎ＝４，ａ1＝１，ｂ＝１の場合を示している。図１２は、ｎ＝４，ａ2＝３，ｂ＝１の場合を示している。図１３は、ｎ＝４，ａ3＝５，ｂ＝１の場合を示している。図１４は、ｎ＝４，ａ4＝７，ｂ＝１の場合を示している。図１５は、ｎ＝４，ａ1＝１，ｂ＝２の場合を示している。
【００３４】
ｔ＝Ｚ・ａmＰ／｛（ｂｎ＋ａm）Ｅ＋ａmＰ｝
Ｓ＝ｎＥ・Ｐ／｛（ｂｎ＋ａm）Ｅ＋ａmＰ｝
ただし、
ａ2m-1＝ｎ（ｍ−１）＋１
ａ2m＝ｎｍ−１
ｍ＝１，２，３…
ｂ＝１，２，３…
とする。
【００３５】
図１１〜図１５に示したように、各画素１１と位置Ｃ１における各分割レンズ２３とを結ぶ各視点ごとの主光線が交わる部分に、位置Ａの各分割レンズ２３が配置される。この場合において、ａm個の画素１１ごと、かつ、位置Ｃ１におけるｂ個の分割レンズ２３ごとに主光線を結ぶことができる。
【００３６】
（位置Ｂ（ｔ＞ｄ）に配置する場合の統一式）
図１６〜図２０を参照して、表示部１に対して位置Ｃ１よりも遠い位置Ｂにパララックス素子２を配置する場合の設計手法の統一式を説明する。位置Ｂ（ｔ＞ｄ）に配置する場合、表示部１とパララックス素子２との距離ｔは、以下の統一式で設計が可能である。また、パララックス素子２の分離部の配置間隔（隣接する２つの分割レンズ２３の配置間隔）Ｓは、以下の統一式で設計が可能である。なお、図１６は、ｎ＝４，ａ1＝１，ｂ＝１の場合を示している。図１７は、ｎ＝４，ａ2＝３，ｂ＝１の場合を示している。図１８は、ｎ＝４，ａ3＝５，ｂ＝１の場合を示している。図１９は、ｎ＝４，ａ4＝７，ｂ＝１の場合を示している。図２０は、ｎ＝４，ａ1＝１，ｂ＝２の場合を示している。
【００３７】
ｔ＝Ｚ・（ｂｎ＋ａm）Ｐ／｛ａmＥ＋（ｂｎ＋ａm）Ｐ｝
Ｓ＝ｎＥ・Ｐ／｛ａmＥ＋（ｂｎ＋ａm）Ｐ｝
ただし、
ａ2m-1＝ｎ（ｍ−１）＋１
ａ2m＝ｎｍ−１
ｍ＝１，２，３…
ｂ＝１，２，３…
とする。
【００３８】
図１６〜図２０に示したように、各画素１１と位置Ｃ１における各分割レンズ２３とを結ぶ各視点ごとの主光線が交わる部分に、位置Ｂの各分割レンズ２３が配置される。この場合において、ａm個の画素１１ごと、かつ、位置Ｃ１におけるｂ個の分割レンズ２３ごとに主光線を結ぶことができる。
【００３９】
［効果］
以上説明したように、本実施の形態に係る表示装置によれば、隣接するｎ視点分の画素１１に対して２以上の分離部を隣接して配置し、特定の分離部以外の他の分離部によってブラックマトリクス１２を観察する状態となるようにしたので、観察距離等の観察条件を変えることなく、パララックス素子２の配置を変更することが可能となる。これにより、装置の薄型、軽量化が容易になる。または逆に、表示部１が高精細になるなどして製造上、薄型化が困難な場合などには、装置全体を厚く設計することが容易になる。
【００４０】
＜２．第２の実施の形態＞
次に、第２の実施の形態に係る表示装置について説明する。なお、上記第１の実施の形態に係る表示装置と実質的に同一の構成部分には同一の符号を付し、適宜説明を省略する。
【００４１】
［表示装置の全体構成］
図２１は、第２の実施の形態に係る表示装置の構成例を示している。図１では、表示部１の表示面側（観察側）にパララックス素子２を配置した例（フロント配置の例）を示したが、図２１に示したように反対側（表示部１の背面側）にパララックス素子２を配置する構成（リア配置）であっても良い。例えば表示部１としてバックライト方式の液晶表示パネルを用いる場合、液晶表示パネルの背面側で、バックライト３０（図２２参照）と液晶表示パネルとの間にパララックス素子２を配置すれば良い。
【００４２】
このようなリア配置の表示装置においても、上記第１の実施の形態と同様に、観察距離Ｚ等の観察条件を変えることなく、パララックス素子２の配置を変更することが可能となる。すなわち、パララックス素子２の配置位置は種々の位置を取り得る。図２１には、一般的な設計手法によるパララックス素子２の配置位置をＣ１１で示している。また、後述する本実施の形態に係る設計手法によって取り得る配置位置の一例を、Ａ１１、Ａ１２、Ａ１３、Ｂ１１、Ｂ１２、Ｂ１３で示している。本実施の形態に係る設計手法によって、表示部１に対して位置Ｃ１１よりも近い位置Ａまたは遠い位置Ｂにパララックス素子２を配置することが可能となっている。
【００４３】
以下、本実施の形態では、パララックス素子２として、パララックスバリア２Ａを用いる場合の設計手法を基本に説明するが、上記第１の実施の形態のように、レンチキュラレンズ２Ｂを用いる場合にも同様の設計手法を適用することができる。
【００４４】
［比較例（一般的な設計手法）によるパララックス素子２の構成例］
比較例として、図２２を参照して、リア配置にする場合における、一般的な設計手法によるパララックス素子２（パララックスバリア２Ａ）の構成例を説明する。一般的な設計手法では、表示部１とパララックス素子２との距離ｄは、以下のように設計される。また、パララックス素子２の分離部の配置間隔（図２２では隣接する２つの開口部２１の配置間隔）Ｌは、以下のように設計される。
【００４５】
ｄ＝Ｚ・Ｐ／（Ｅ−Ｐ）
Ｌ＝ｎＰ・Ｅ／（Ｅ−Ｐ）
ただし、
ｎ：視点数
Ｚ：観察距離
Ｅ：眼間距離
Ｐ：画素ピッチ
とする。
【００４６】
この距離ｄと配置間隔Ｌとを設計値にする場合、隣接するｎ視点分の画素１１に対して１つの分離部が配置されることになる。例えば４視点の場合、隣接する４視点分の画素１１に対して、１つの開口部２１が配置される。１つの開口部２１によって、隣接する４視点分の画素１１に表示された第１ないし第４の視点画像が、それぞれ別々の視点位置の方向に分離される。開口部２１は複数配置されているが、全ての開口部２１が同様にして、対応する４視点分の画素１１に表示された第１ないし第４の視点画像をそれぞれ別々の視点位置の方向に分離する。
【００４７】
［本実施の形態に係る設計手法によるパララックス素子２の構成例］
上記した一般的な設計手法に対して、本実施の形態に係る設計手法では、隣接するｎ視点分の画素１１に対して２以上の分離部を隣接して配置する。そして、特定の視点位置から観察したときに、隣接する２以上の分離部のうちの特定の１つの分離部によって特定の１つの視点画像が観察されるようにする。また、特定の分離部以外の他の分離部によって、隣接するｎ視点分の画素１１の近くに形成されたブラックマトリクス１２が観察されるようにする。
また、パララックス素子２の分離部の配置間隔Ｓは、上記した一般的な設計手法における配置間隔Ｌよりも小さい値となるようにする。すなわち、上記した一般的な設計手法よりも細かいピッチで分離部を配置する。
【００４８】
（位置Ａ（ｔ＜ｄ）に配置する場合の統一式）
図２３を参照して、表示部１に対して位置Ｃ１１よりも近い位置Ａにパララックス素子２を配置する場合の設計手法の統一式を説明する。位置Ａ（ｔ＜ｄ）に配置する場合、表示部１とパララックス素子２との距離ｔは、以下の統一式で設計が可能である。また、パララックス素子２の分離部の配置間隔（隣接する２つの開口部２１の配置間隔）Ｓは、以下の統一式で設計が可能である。なお、図２３は、ｎ＝４，ａ1＝１，ｂ＝１の場合を示している。
【００４９】
ｔ＝Ｚ・ａmＰ／｛（ｂｎ＋ａm）Ｅ−ａmＰ｝
Ｓ＝ｎＥ・Ｐ／｛（ｂｎ＋ａm）Ｅ−ａmＰ｝
ただし、
ａ2m-1＝ｎ（ｍ−１）＋１
ａ2m＝ｎｍ−１
ｍ＝１，２，３…
ｂ＝１，２，３…
とする。
【００５０】
図２３に示したように、各画素１１と位置Ｃ１１における各開口部２１とを結ぶ各視点ごとの主光線が交わる部分に、位置Ａの各開口部２１が配置される。この場合において、ａm個の画素１１ごと、かつ、位置Ｃ１１におけるｂ個の開口部２１ごとに主光線を結ぶことができる。
【００５１】
（位置Ｂ（ｔ＞ｄ）に配置する場合の統一式）
図２４を参照して、表示部１に対して位置Ｃ１１よりも遠い位置Ｂにパララックス素子２を配置する場合の設計手法の統一式を説明する。位置Ｂ（ｔ＞ｄ）に配置する場合、表示部１とパララックス素子２との距離ｔは、以下の統一式で設計が可能である。また、パララックス素子２の分離部の配置間隔（隣接する２つの開口部２１の配置間隔）Ｓは、以下の統一式で設計が可能である。なお、図２４は、ｎ＝４，ａ3＝５，ｂ＝１の場合を示している。
【００５２】
ｔ＝Ｚ・（ｂｎ＋ａm）Ｐ／｛ａmＥ−（ｂｎ＋ａm）Ｐ｝
Ｓ＝ｎＥ・Ｐ／｛ａmＥ−（ｂｎ＋ａm）Ｐ｝
ただし、
ａ2m-1＝ｎ（ｍ−１）＋１
ａ2m＝ｎｍ−１
ｍ＝１，２，３…
ｂ＝１，２，３…
とする。
【００５３】
図２４に示したように、各画素１１と位置Ｃ１１における各開口部２１とを結ぶ各視点ごとの主光線が交わる部分に、位置Ｂの各開口部２１が配置される。この場合において、ａm個の画素１１ごと、かつ、位置Ｃ１１におけるｂ個の開口部２１ごとに主光線を結ぶことができる。
【００５４】
＜３．その他の実施の形態＞
本開示による技術は、上記各実施の形態の説明に限定されず種々の変形実施が可能である。
例えば、上記各実施の形態に係る表示装置はいずれも、表示機能を有する種々の電子機器に適用可能である。図２５は、そのような電子機器の一例としてテレビジョン装置の外観構成を表している。このテレビジョン装置は、フロントパネル２１０およびフィルターガラス２２０を含む映像表示画面部２００を備えている。
【００５５】
また例えば、本技術は以下のような構成を取ることができる。
（１）
複数の画素を有し、隣り合う前記画素の間にはブラックマトリクスが形成され、ｎ視点（ｎは２以上の整数）分の複数の視点画像を前記複数の画素に割り当てて表示する表示部と、
複数の分離部を有し、前記表示部に表示された前記複数の視点画像をそれぞれ異なる方向に分離するパララックス素子と
を備え、
隣接するｎ視点分の前記画素に対して２以上の前記分離部が隣接して配置され、
特定の視点位置から観察したときに、隣接する前記２以上の分離部のうちの特定の１つの分離部によって特定の１つの視点画像が観察され、前記特定の分離部以外の他の分離部によって前記ブラックマトリクスが観察される
表示装置。
（２）
前記パララックス素子は、前記表示部に対して観察側に対向配置されると共に、前記表示部に対して、以下の式で表される距離ｄよりも近い位置または遠い位置に配置されている
上記（１）に記載の表示装置。
ｄ＝Ｚ・Ｐ／（Ｅ＋Ｐ）
ただし、
Ｚ：観察距離
Ｅ：眼間距離
Ｐ：画素ピッチ
ｄ：前記表示部と前記パララックス素子との距離
とする。
（３）
前記パララックス素子は、前記表示部に対して観察側に対向配置されると共に、隣接する前記複数の分離部の配置間隔が、以下の式で表される配置間隔Ｌよりも小さい値となっている
上記（１）または（２）に記載の表示装置。
Ｌ＝ｎＰ・Ｅ／（Ｅ＋Ｐ）
ただし、
ｎ：視点数
Ｅ：眼間距離
Ｐ：画素ピッチ
Ｌ：分離部の配置間隔
とする。
（４）
前記パララックス素子は、前記表示部に対して観察側とは反対側に対向配置されると共に、前記表示部に対して、以下の式で表される距離ｄよりも近い位置または遠い位置に配置されている
上記（１）に記載の表示装置。
ｄ＝Ｚ・Ｐ／（Ｅ−Ｐ）
ただし、
Ｚ：観察距離
Ｅ：眼間距離
Ｐ：画素ピッチ
ｄ：前記表示部と前記パララックス素子との距離
とする。
（５）
前記パララックス素子は、前記表示部に対して観察側とは反対側に対向配置されると共に、隣接する前記複数の分離部の配置間隔が、以下の式で表される配置間隔Ｌよりも小さい値となっている
上記（１）または（４）に記載の表示装置。
Ｌ＝ｎＰ・Ｅ／（Ｅ−Ｐ）
ただし、
ｎ：視点数
Ｅ：眼間距離
Ｐ：画素ピッチ
Ｌ：分離部の配置間隔
とする。
（６）
前記パララックス素子は、前記分離部としての分割レンズを複数有するレンチキュラレンズである
上記（１）ないし（５）のいずれか１つに記載の表示装置。
（７）
前記パララックス素子は、前記分離部としての開口部を複数有するパララックスバリアである
上記（１）ないし（５）のいずれか１つに記載の表示装置。
（８）
表示装置を含み、
前記表示装置は、
複数の画素を有し、隣り合う前記画素の間にはブラックマトリクスが形成され、ｎ視点（ｎは２以上の整数）分の複数の視点画像を前記複数の画素に割り当てて表示する表示部と、
複数の分離部を有し、前記表示部に表示された前記複数の視点画像をそれぞれ異なる方向に分離するパララックス素子と
を備え、
隣接するｎ視点分の前記画素に対して２以上の前記分離部が隣接して配置され、
特定の視点位置から観察したときに、隣接する前記２以上の分離部のうちの特定の１つの分離部によって特定の１つの視点画像が観察され、前記特定の分離部以外の他の分離部によって前記ブラックマトリクスが観察される
電子機器。
【符号の説明】
【００５６】
１…表示部、２…パララックス素子、２Ａ…パララックスバリア、２Ｂ…レンチキュラレンズ、１１…画素、１２…ブラックマトリクス、２１…開口部、２２…遮蔽部、２３…分割レンズ、３０…バックライト、１５０…領域、１６０…領域、２００…映像表示画面部、２１０…フロントパネル、２２０…フィルターガラス、ａ…画素の有効幅、ｄ，ｔ…デバイス間距離、Ｅ…眼間距離、Ｌ，Ｓ…パララックス素子ピッチ、Ｐ…画素ピッチ、Ｚ…観察距離。
【図１】
2014032366.tif 000003
【図２】
2014032366.tif 000004
【図３】
2014032366.tif 000005
【図４】
2014032366.tif 000006
【図５】
2014032366.tif 000007
【図６】
2014032366.tif 000008
【図７】
2014032366.tif 000009
【図８】
2014032366.tif 000010
【図９】
2014032366.tif 000011
【図１０】
2014032366.tif 000012
【図１１】
2014032366.tif 000013
【図１２】
2014032366.tif 000014
【図１３】
2014032366.tif 000015
【図１４】
2014032366.tif 000016
【図１５】
2014032366.tif 000017
【図１６】
2014032366.tif 000018
【図１７】
2014032366.tif 000019
【図１８】
2014032366.tif 000020
【図１９】
2014032366.tif 000021
【図２０】
2014032366.tif 000022
【図２１】
2014032366.tif 000023
【図２２】
2014032366.tif 000024
【図２３】
2014032366.tif 000025
【図２４】
2014032366.tif 000026
【図２５】
2014032366.tif 000027